(57)【要約】【課題】電気光学装置のコントラストの低下を防止しつつ、耐光性や耐熱性を向上させ、且つ部品点数の削減や薄型化を可能とする。【解決手段】電気光学装置は、一対の基板（１０、２０）と、一対の基板間に挟持された電気光学物質（１５０）と、一対の基板の少なくとも一方の基板の電気光学物質に対向する側に形成され、一方の基板の基板面に沿った面内で第１方位に傾き、且つ無機材料を含む複数の第１柱状構造物（２１１）を有する第１配向層（２１０）と、第１配向層の上層側に形成され、面内で第１方位に対して９０度に近づく方位である第２方位に傾き、且つ無機材料を含む複数の第２柱状構造物（１６１）を有する第２配向層（１６）とを備える。電気光学装置において、第１配向層及び第２配向層の各々に、電気光学物質の一部が含浸されている。【選択図】図７
2010078660.tif 000002
【特許請求の範囲】
【請求項１】
一対の基板と、
前記一対の基板間に挟持された電気光学物質と、
前記一対の基板の少なくとも一方の基板の前記電気光学物質に対向する側に形成され、前記一方の基板の基板面に沿った面内で第１方位に傾き、且つ無機材料を含む複数の第１柱状構造物を有する第１配向層と、
前記第１配向層の上層側に形成され、前記面内で第１方位に対して９０度に近づく方位である第２方位に傾き、且つ無機材料を含む複数の第２柱状構造物を有する第２配向層と
を備え、
前記第１配向層及び前記第２配向層の各々に、前記電気光学物質の一部が含浸されている
ことを特徴とする電気光学装置。
【請求項２】
前記第１配向層の厚さは、前記電気光学物質の他の部分及び前記第２配向層に含浸された電気光学物質によって生じる光の位相差を補償するように設定されていることを特徴とする請求項１に記載の電気光学装置。
【請求項３】
前記複数の第１柱状構造物の各々と前記基板面の法線とが互いになす角は、８０度以上８５度以下であり、
前記複数の第２柱状構造物の各々と前記法線とが互いになす角は、４５度以上６５度以下である
ことを特徴とする請求項１又は２に記載の電気光学装置。
【請求項４】
前記複数の第１柱状構造物は、一酸化珪素、酸化アルミニウム、酸化チタン及び酸化マグネシウムのうち少なくとも一つを含んでなり、
前記複数の第２柱状構造物は、二酸化珪素を含んでなる
ことを特徴とする請求項１乃至３のいずれか一項に記載の電気光学装置。
【請求項５】
請求項１乃至４のいずれか一項に記載の電気光学装置を備えることを特徴とする電子機器。
【発明の詳細な説明】
【技術分野】
【０００１】
本発明は、例えば液晶等の電気光学物質を透過する光の位相差を補償する光学補償機能を備えた、例えば液晶装置等の電気光学装置、及び該電気光学装置を備えて構成される、例えば液晶プロジェクタ等の電子機器の技術分野に関する。
【背景技術】
【０００２】
この種の装置では、電気光学物質における複屈折によって生じる光の位相差（或いは、位相ずれ）を、例えば位相差板等によって補償し、コントラストの低下を防止することが図られる。
【０００３】
この種の装置の一例としての液晶表示装置として、例えば特許文献１には、カラー表示を形成する三基本色の画素に対応して異なる位相差の３種の領域が分布する位相差板と、偏光板とからなる積層体を液晶セルの外側又は内側に有する液晶表示装置が開示されている。或いは、特許文献２には、互いに対向する上基板及び下基板間に液晶層を挟持し、１つのドット領域内に透過表示領域及び反射表示領域を有する半透過反射型の液晶表示装置が開示されている。ここでは特に、上基板の内面に設けられた位相差層のうち、反射表示領域の位相差層を構成する高分子液晶の配向状態と、透過表示領域の位相差層を構成する高分子液晶の配向状態とを互いに異ならせる技術が開示されている。
【０００４】
また、この種の装置に用いられる位相差フィルムとして、例えば、透明高分子フィルムの少なくとも片面に、正の屈折率異方性を有し且つ光学主軸がフィルムの法線方向から２０度〜７０度傾斜している、ＴｉＯ２を含んでなる斜方蒸着層を備える位相差フィルムが提案されている（特許文献３参照）。
【０００５】
【特許文献１】特開平８−３３４６１９号公報
【特許文献２】特開２００４−２２６８２９号公報
【特許文献３】特開平１１−２１１９１４号公報
【発明の開示】
【発明が解決しようとする課題】
【０００６】
特許文献１及び３に開示されている技術では、部品点数の削減や薄型化が困難になる可能性があるという技術的問題点がある。また、特許文献２に開示されている技術では、高分子液晶の配向状態を決定する配向膜が有機材料によって構成されている。すると、この種の装置を、例えば液晶プロジェクタにおけるライトバルブとして用いる場合、強力な光源光により配向膜が劣化する可能性があるという技術的問題点がある。
【０００７】
本発明は、例えば上記問題点に鑑みてなされたものであり、コントラストの低下を防止しつつ、耐光性や耐熱性を向上させ、且つ部品点数の削減や薄型化が可能な電気光学装置及び電子機器を提供することを課題とする。
【課題を解決するための手段】
【０００８】
本発明の電気光学装置は、上記課題を解決するために、一対の基板と、前記一対の基板間に挟持された電気光学物質と、前記一対の基板の少なくとも一方の基板の前記電気光学物質に対向する側に形成され、前記一方の基板の基板面に沿った面内で第１方位に傾き、且つ無機材料を含む複数の第１柱状構造物を有する第１配向層と、前記第１配向層の上層側に形成され、前記面内で第１方位に対して９０度に近づく方位である第２方位に傾き、且つ無機材料を含む複数の第２柱状構造物を有する第２配向層とを備え、前記第１配向層及び前記第２配向層の各々に、前記電気光学物質の一部が含浸されている。
【０００９】
本発明の電気光学装置によれば、例えば液晶等である電気光学物質は、一対の基板間に挟持されている。第１配向層は、一対の基板の少なくとも一方の基板の電気光学物質に対向する側に形成されている。第１配向層は、一方の基板の基板面に沿った面内で第１方向に傾き、且つ、例えば一酸化珪素（ＳｉＯ）、酸化アルミニウム（Ａｌ２Ｏ３）、酸化チタン（ＴｉＯ２）、酸化マグネシウム（ＭｇＯ）等の無機材料を含んでなる複数の第１柱状構造物を有している。
【００１０】
第２配向層は、第１配向層の上層側に形成されており、前記面内で第１方位に対して９０度に近づく方位である第２方位に傾き、且つ、例えば二酸化珪素（ＳｉＯ２）等の無機材料を含んでなる複数の第２柱状構造物を有している。ここで、「第１方位に対して９０度に近づく方位である第２方位」とは、第１方位と第２方位とが互いになす角が９０度に近づくような方位を意味する。尚、第２配向層は、典型的には、一対の基板間に挟持される電気光学物質に対し、所定のプレティルトを与える。
【００１１】
電気光学物質の一部は、第１配向層及び第２配向層の各々に含浸されている。本発明の電気光学装置では、上述の如く、第１配向層及び第２配向層は、夫々、複数の第１柱状構造物及び複数の第２柱状構造物を有している。このため、第１配向層及び第２配向層の各々は、多孔質となる。そして、本発明に係る電気光学物質を構成する分子のサイズは、第１配向層及び第２配向層の各々に形成された孔のサイズ（即ち、複数の第１柱状構造物各々の相互間の距離、複数の第２柱状構造物各々の相互間の距離）より小さいため、孔の中に電気光学物質が浸入することとなる。
【００１２】
上述の如く、複数の第１柱状構造物が傾いている第１方位と、複数の第２柱状構造物が傾いている第２方位とが互いになす角は、９０度に近づくように設定されている。そして、第１配向層及び第２配向層の各々には、電気光学物質が含浸されている。このため、第１配向層は該第１配向層に含浸された電気光学物質によって、第２配向層がプレティルトを与える電気光学物質によって生じる光の位相差を補償する光学補償層として機能することとなる。
【００１３】
複数の第１柱状構造物及び複数の第２柱状構造物は、無機材料を含んで形成されているので、電気光学装置の耐光性や耐熱性を向上させることができる。また、第１配向層は、一対の基板の少なくとも一方の基板と一体として形成されているため、別途位相差板等を設ける必要が無く、部品点数を削減することができる。更に、第１配向層に含まれる複数の第１柱状構造物は、例えば斜方蒸着や異方性スパッタ等により形成することができるので、第１配向層を比較的薄く形成することができる。
【００１４】
以上の結果、本発明の電気光学装置によれば、コントラストの低下を防止しつつ、耐光性や耐熱性を向上させ、且つ部品点数の削減や薄型化を実現することができる。
【００１５】
本発明の電気光学装置の一態様では、前記第１配向層の厚さは、前記電気光学物質の他の部分及び前記第２配向層に含浸された電気光学物質によって生じる光の位相差を補償するように設定されている。
【００１６】
この態様によれば、電気光学物質の他の部分及び第２配向層に含浸された電気光学物質によって生じる光の位相差を無くす、或いは低減することができる。ここで、第１配向層の厚さは、電気光学物質の他の部分及び第２配向層に含浸された電気光学物質によって生じる光の位相差を補償するように設定されている。より具体的には、第１配向層の厚さは、生じる光の位相差が、第１配向層に含浸された電気光学物質によって補償されるように設定されている。
【００１７】
尚、「補償するように」とは、多少なりとも生じる光の位相差を低減するようにという意味である。従って、第１配向層の厚さは、多少なりとも生じる光の位相差を低減するように、電気光学物質が第１配向層に浸入可能な厚さとして設定すればよい。例えばコントラストを向上させて高品質な画像を表示させるという観点からは、生じる光の位相差を無くすように、第１配向層の厚さが設定されることが望ましい。
【００１８】
尚、「電気光学物質の他の部分」とは、一対の基板間に挟持された電気光学物質のうち、第１配向層及び第２配向層のいずれにも含浸されない電気光学物質を意味する。
本発明の電気光学装置の他の態様では、前記複数の第１柱状構造物の各々と前記基板面の法線とが互いになす角は、８０度以上８５度以下であり、前記複数の第２柱状構造物の各々と前記法線とが互いになす角は、４５度以上６５度以下である。
【００１９】
この態様によれば、第１柱状構造物と基板面の法線とが互いになす角は、８０度以上８５度以下である。言い換えれば、第１柱状構造物と基板面とが互いになす角は、５度以上１０度以下である。他方、第２柱状構造物と法線とが互いになす角は、４５度以上６５度以下である。言い換えれば、第２柱状構造物と基板面とが互いになす角は、２５度以上４５度以下である。
【００２０】
このため、本発明に係る電気光学物質の一例として、誘電率異方性が負の液晶を用いれば、垂直配向モードの液晶表示装置を製造することができる。
【００２１】
本発明の電気光学装置の他の態様では、前記複数の第１柱状構造物は、一酸化珪素、酸化アルミニウム、酸化チタン及び酸化マグネシウムのうち少なくとも一つを含んでなり、前記複数の第２柱状構造物は、二酸化珪素を含んでなる。
【００２２】
この態様によれば、比較的安価にして、当該電気光学装置を製造することができ、実用上非常に有利である。
【００２３】
本発明の電子機器は、上記課題を解決するために、上述した本発明の電気光学装置（但し、その各種態様を含む）を備える。
【００２４】
本発明の電子機器によれば、上述した本発明の電気光学装置を具備してなるので、高品質な画像を表示可能な、投射型表示装置、テレビ、携帯電話、電子手帳、携帯オーディオプレーヤ、ワードプロセッサ、デジタルカメラ、ビューファインダ型又はモニタ直視型のビデオテープレコーダ、ワークステーション、テレビ電話、ＰＯＳ端末、タッチパネル等の各種電子機器を実現できる。
【００２５】
本発明の作用及び他の利得は次に説明する実施するための最良の形態から明らかにされる。
【発明を実施するための最良の形態】
【００２６】
以下図面を参照しながら、本発明に係る電気光学装置及び電子機器の各実施形態を説明する。尚、本実施形態では、電気光学装置の一例として、駆動回路内蔵型のＴＦＴ（Ｔｈｉｎ  Ｆｉｌｍ  Ｔｒａｎｓｉｓｔｏｒ）アクティブマトリックス駆動方式の液晶装置を挙げる。
【００２７】
先ず、本実施形態に係る液晶装置の全体構成について、図１及び図２を参照して説明する。
【００２８】
図１は、ＴＦＴアレイ基板をその上に形成された各構成要素と共に、対向基板の側から見た液晶装置の概略的な平面図であり、図２は、図１のＨ−Ｈ´断面図である。
【００２９】
図１及び図２において、液晶装置は、対向配置されたＴＦＴアレイ基板１０と対向基板２０とから構成されている。ＴＦＴアレイ基板１０と対向基板２０との間には、液晶層５０が封入されており、ＴＦＴアレイ基板１０と対向基板２０とは、画像表示領域１０ａの周囲に位置するシール領域に設けられたシール材５２により相互に接着されている。
【００３０】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、例えばシール材５２中には、ＴＦＴアレイ基板１０と対向基板２０との間隔（基板間ギャップ）を所定値とするためのグラスファイバ或いはガラスビーズ等のギャップ材５６が散布されている。
【００３１】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００３２】
ＴＦＴアレイ基板１０上における、画像表示領域１０ａの周辺に位置する周辺領域には、データ線駆動回路１０１及びサンプリング回路７、走査線駆動回路１０４、外部回路接続端子１０２が夫々形成される。
【００３３】
ＴＦＴアレイ基板１０上における周辺領域において、シール領域より外周側に、データ線駆動回路１０１及び外部回路接続端子１０２が、ＴＦＴアレイ基板１０の一辺に沿って設けられている。また、ＴＦＴアレイ基板１０上の周辺領域のうちシール領域より内側に位置する領域には、ＴＦＴアレイ基板１０の一辺に沿う画像表示領域１０ａの一辺に沿って且つ額縁遮光膜５３に覆われるようにしてサンプリング回路７が配置される。
【００３４】
また、走査線駆動回路１０４は、ＴＦＴアレイ基板１０の一辺に隣接する２辺に沿い、且つ、額縁遮光膜５３に覆われるようにして設けられている。更に、このように画像表示領域１０ａの両側に設けられた二つの走査線駆動回路１０４間を電気的に接続するため、ＴＦＴアレイ基板１０の残る一辺に沿い、且つ額縁遮光膜５３に覆われるようにして複数の配線１０５が設けられている。
【００３５】
また、ＴＦＴアレイ基板１０上の周辺領域において、対向基板２０の４つのコーナー部に対向する領域に、上下導通端子１０６が配置されると共に、このＴＦＴアレイ基板１０及び対向基板２０間には上下導通材が上下導通端子１０６に対応して該端子１０６に電気的に接続されて設けられる。
【００３６】
図２において、ＴＦＴアレイ基板１０上の画像表示領域１０ａには、画素スイッチング用素子としてのＴＦＴや走査線、データ線等の配線上に画素電極９ａが、更にその上には、光学補償層２１０（図示せず）及び配向膜１６が形成されている。尚、本実施形態では、画素スイッチング素子はＴＦＴの他、各種トランジスタ或いはＴＦＤ等により構成されてもよい。
【００３７】
他方、対向基板２０上の画像表示領域１０ａには、格子状又はストライプ状の遮光膜２３が形成され、この遮光膜２３上（図２中遮光膜２３より下側）に、液晶層５０を介して複数の画素電極９ａと対向する対向電極２１が形成され、更に、光学補償層２２０（図示せず）及び配向膜２２が形成される。
【００３８】
液晶層５０は、例えば一種又は数種類のネマティック液晶を混合した液晶からなり、これら一対の配向膜間で、所定の配向状態をとる。そして、液晶装置の駆動時、夫々に電圧が印加されることで、画素電極９ａと対向電極２１との間には液晶保持容量が形成される。
【００３９】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路等が形成されていてもよい。
【００４０】
尚、本実施形態に係る「ＴＦＴアレイ基板１０」及び「対向基板２０」は、本発明に係る「一対の基板」の一例である。また、本実施形態に係る「光学補償層２１０」及び「光学補償層２２０」は、本発明に係る「第１配向層」の一例であり、本実施形態に係る「配向膜１６」及び「配向膜２２」は、本発明に係る「第２配向層」の一例である。また、本実施形態に係る「液晶」は、本発明に係る「電気光学物質」の一例である。
【００４１】
尚、液晶装置は、ＬＣＯＳ（Ｌｉｑｕｉｄ  Ｃｒｙｓｔａｌ  ｏｎ  Ｓｉｌｉｃｏｎ）であってもよい。ＬＣＯＳは、単結晶Ｓｉ基板上にＣＭＯＳ構造のＭＯＳＦＥＴを形成し、その上に液晶層を形成するタイプの液晶ディスプレイである。一般的には、基板が光を透過しないのでＬＣＤモードは反射型となる。ＭＯＳＦＥＴは、画素部のスイッチング素子に用いられる他、データ線駆動回路等の周辺駆動回路や必要に応じて信号制御のコントロール回路にも用いられる場合がある。トランジスタの構造は、Ｓｉ基板にＬＳＩプロセスでｎ型及びｐ型のＭＯＳＦＥＴを形成するものである。反射型であることから、画素電極には、光の反射率向上のため、Ａｌ電極を用いることが多い。
【００４２】
次に、配向膜及び光学補償層について、図３を参照して説明する。図３は、図２と同趣旨の、図１のＨ−Ｈ´線断面図である。尚、以降の図においては、説明の便宜上、図２で示した液晶装置の詳細な部材については適宜省略し、直接関連のある部材のみを示す。また、各層・各部材を図面上で認識可能な程度の大きさとするため、該各層・各部材ごとに縮尺を異ならしめてある。
【００４３】
図３に示すように、ＴＦＴアレイ基板１０の液晶層５０と対向する側には、光学補償層２１０及び配向膜１６が積層されている。他方、対向基板２０の液晶層５０と対向する側には、光学補償層２２０及び配向膜２２が積層されている。尚、光学補償層は、ＴＦＴアレイ基板１０及び対向基板２０のうち少なくとも一方に設けられていればよい。
【００４４】
次に、配向膜及び光学補償層について、図４乃至図７を参照して、詳細に説明する。ここに、図４は、ＴＦＴアレイ基板上に形成された柱状構造物が傾いている方位を示す概念図である。図５は、図４のＡ−Ａ´線断面図であり、図６は、図４のＢ−Ｂ´線断面図である。図７は、図５の一部を拡大して示す拡大断面図である。
【００４５】
尚、図４中に示す矢印ａ１は、後述する光学補償層２１０を構成する柱状構造物２１１が、ＴＦＴアレイ基板１０の基板面に沿う面内において傾いている方位を示している。他方、矢印ａ２は、後述する配向膜１６を構成する柱状構造物１６１が、前記面内において傾いている方位を示している。
【００４６】
図５及び図６に示すように、光学補償層２１０は、例えばＳｉＯ、Ａｌ２Ｏ３、ＴｉＯ２、ＭｇＯ等の無機材料を含んでなる複数の柱状構造物２１１を備えて構成されている。また、配向膜１６は、例えばＳｉＯ２等の無機材料を含んでなる複数の柱状構造物１６１を備えて構成されている。即ち、配向膜１６は、無機配向膜である。ここに、本実施形態に係る「柱状構造物２１１」及び「柱状構造物１６１」は、夫々、本発明に係る「第１柱状構造物」及び「第２柱状構造物」の一例である。
【００４７】
尚、ここでは図示しないが、対向基板２０に形成された光学補償層２２０及び配向膜２２も、夫々、光学補償層２１０及び配向膜１６と同様に構成されている。
【００４８】
図５及び図６に示すように、柱状構造物１６１及び２１１は、ＴＦＴアレイ基板１０の基板面に対して、夫々傾いている。図５に示すように、柱状構造物２１１と、ＴＦＴアレイ基板１０の基板面の法線とが互いになす角は、θ１である。他方、図６に示すように、柱状構造物１６１と、ＴＦＴアレイ基板１０の基板面の法線とが互いになす角は、θ２である。ここで、角度θ１は、例えば８０度以上８５度以下であり、角度θ２は、例えば４５度以上６５度以下である。
【００４９】
また、図４に示すように、ＴＦＴアレイ基板１０の基板面に沿う面内において、柱状構造物２１１が傾いている方位を示す矢印ａ１と、柱状構造物１６１が傾いている方位を示す矢印ａ２とが互いになす角は、例えば９０度である。
【００５０】
図７に示すように、光学補償層２１０を構成する複数の柱状構造物２１１各々の間、及び配向膜１６を構成する複数の柱状構造物１６１各々の間には、例えば誘電率異方性が負の液晶分子１５０が浸入している。この結果、配向膜１６がプレティルトを与える液晶分子１５０によって生じる位相差を、光学補償層２１０に含浸された液晶分子１５０（即ち、複数の柱状構造物２１１各々の間に侵入した液晶分子１５０）によって補償することができる。
【００５１】
次に、光学補償層の厚さとコントラスト比について、図８を参照して説明する。ここに、図８は、光学補償層の厚さとコントラスト比との関係の一例を示す特性図である。
【００５２】
図８に示す特性図を取得するための液晶装置は、先ず、ＴＦＴアレイ基板及び対向基板の各々の上に、Ａｌ２Ｏ３を基板法線に対して８２度の角度で蒸着し、光学補償層を構成する複数の柱状構造物を形成する。続いて、該形成された光学補償層の上に、ＳｉＯ２を基板法線に対して５０度の角度で７０ｎｍ（ナノメートル）積層して、配向膜を構成する柱状構造物を形成する。
【００５３】
次に、ＴＦＴアレイ基板及び対向基板間の距離が３μｍ（マイクロメートル）になるように、シール材を介して互いに貼り合わせる。続いて、屈折率異方性Δｎが０．１５であるネガ液晶を、ＴＦＴアレイ基板及び対向基板間に注入して、液晶装置が作成される。
【００５４】
尚、作成された液晶装置おける配向膜がネガ液晶に与えるプレティルト角は８５度であり、液晶層において生じる光の位相差は、約２０ｎｍである。
【００５５】
図８に示すように、光学補償層の厚さが約２５０ｎｍである場合に、コントラスト比が最も良くなることが分かる。従って、光学補償層によって、液晶層において生じる光の位相差が補償されていると結論付けることができる。
【００５６】
＜電子機器＞
次に、図９を参照しながら、上述した液晶装置を電子機器の一例であるプロジェクタに適用した場合を説明する。上述した液晶装置は、プロジェクタのライトバルブとして用いられている。図９は、プロジェクタの構成例を示す平面図である。
【００５７】
図９に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００５８】
液晶パネル１１１０Ｒ、１１１０Ｂおよび１１１０Ｇの構成は、上述した液晶装置と同等の構成を有しており、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００５９】
ここで、各液晶パネル１１１０Ｒ、１１１０Ｂおよび１１１０Ｇによる表示像について着目すると、液晶パネル１１１０Ｒ、１１１０Ｂによる表示像は、液晶パネル１１１０Ｇによる表示像に対して左右反転することが必要となる。
【００６０】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００６１】
尚、図９を参照して説明した電子機器の他にも、モバイル型のパーソナルコンピュータや、携帯電話、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００６２】
本発明は、上述した実施形態に限られるものではなく、請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【図面の簡単な説明】
【００６３】
【図１】本発明の実施形態に係る液晶装置の全体構成を示す平面図である。
【図２】図１のＨ−Ｈ´線断面図である。
【図３】図１のＨ−Ｈ´線断面図である。
【図４】ＴＦＴアレイ基板上に形成された柱状構造物が傾いている方位を示す概念図である。
【図５】図４のＡ−Ａ´線断面図である。
【図６】図４のＢ−Ｂ´線断面図である。
【図７】図５の一部を拡大して示す拡大断面図である。
【図８】光学補償層の厚さとコントラスト比との関係の一例を示す特性図である。
【図９】電気光学装置を適用した電子機器の一例たるプロジェクタの構成を示す平面図である。
【符号の説明】
【００６４】
１０…ＴＦＴアレイ基板、１６、２２…配向膜、２０…対向基板、５０…液晶層、１５０…液晶分子、１６１、２１１…柱状構造物、２１０、２２０…光学補償層
【図１】
2010078660.tif 000003
【図２】
2010078660.tif 000004
【図３】
2010078660.tif 000005
【図４】
2010078660.tif 000006
【図５】
2010078660.tif 000007
【図６】
2010078660.tif 000008
【図７】
2010078660.tif 000009
【図８】
2010078660.tif 000010
【図９】
2010078660.tif 000011